(57)【要約】      （修正有）【課題】高倍率化、小型軽量化の両立に加え、良好な光学性能を達成することを可能としたズームレンズ及びそれを有する撮像装置を提供する。【解決手段】ズームレンズは、物体側より像側へ順に、正の屈折力の第１レンズ群Ｌ１、負の屈折力の第２レンズ群Ｌ２、２以上のレンズ群を含む後群を有し、広角端に比べて望遠端において第１レンズ群Ｌ１と第２レンズ群Ｌ２の間隔が広くなるように、少なくとも第２レンズ群Ｌ２が移動するズームレンズであって、第１レンズ群Ｌ１は少なくとも１枚の負レンズと３枚の正レンズを有し、第２レンズ群Ｌ２は、少なくとも１枚の正レンズと、材料のｄ線に対する屈折率をＮ２ｎａ、ｄ線に対するアッベ数をνｄ２ｎａとするとき、Ｎ２ｎａ＞２．３−０．０１・νｄ２ｎａ、１．７５＜Ｎ２ｎａ＜２．７、なる条件を満足する材料で構成される少なくとも１枚の負レンズと、を有することを特徴とする。【選択図】図１
2017215410.tif 000002
【特許請求の範囲】
【請求項１】
物体側より像側へ順に、正の屈折力の第１レンズ群、負の屈折力の第２レンズ群、２以上のレンズ群を含む後群を有し、広角端に比べて望遠端において該第１レンズ群と該第２レンズ群の間隔が広くなるように、少なくとも該第２レンズ群が移動するズームレンズであって、
該第１レンズ群は少なくとも１枚の負レンズと３枚の正レンズを有し、
該第２レンズ群は、少なくとも１枚の正レンズと、
材料のｄ線に対する屈折率をＮ２ｎａ、ｄ線に対するアッベ数をνｄ２ｎａとするとき、
Ｎ２ｎａ＞２．３−０．０１・νｄ２ｎａ
１．７５＜Ｎ２ｎａ＜２．７
なる条件を満足する材料で構成される少なくとも１枚の負レンズと、を有することを特徴とするズームレンズ。
【請求項２】
前記第２レンズ群中の少なくとも１つの負レンズの焦点距離をｆ２ｎａとし、
前記第２レンズ群の焦点距離をｆ２とするとき、
０．５＜ｆ２ｎａ／ｆ２＜２．５
なる条件を満足することを特徴とする請求項１に記載のズームレンズ。
【請求項３】
前記第１レンズ群の焦点距離をｆ１とするとき、
−１０．０＜ｆ１／ｆ２＜−５．３
なる条件を満足することを特徴とする請求項１又は請求項２に記載のズームレンズ。
【請求項４】
前記ズームレンズの広角端における全系の焦点距離をｆｗとするとき、
−１．８＜ｆ２／ｆｗ＜−０．５
５．０＜ｆ１／ｆｗ＜２２．０
なる条件を満足することを特徴とする請求項１乃至請求項３の何れか一項に記載のズームレンズ。
【請求項５】
前記第２レンズ群中の少なくとも１つの負レンズの部分分散比をθｇｆｎａとし、
前記第２レンズ群中の少なくとも１つの正レンズの部分分散比をθｇｆｐａとするとき、
（θｇｆｐａ−θｇｆｎａ）／（νｄ２ｐａ−νｄ２ｎａ）＜−５．０×１０−３
なる条件を満足することを特徴とする請求項１乃至請求項４の何れか一項に記載のズームレンズ。
【請求項６】
請求項１乃至請求項５の何れか一項に記載のズームレンズと、前記ズームレンズによって形成された像を受光する固体撮像素子を有することを特徴とする撮像装置。
【発明の詳細な説明】
【技術分野】
【０００１】
本発明は、ズームレンズ及びそれを有する撮像装置に関し、例えばビデオカメラや電子スチルカメラ、放送用カメラ、監視カメラ等のように固体撮像素子を用いたカメラ、或いは銀塩フィルムを用いたカメラ等に好適なものである。
【背景技術】
【０００２】
近年、固体撮像素子を用いたビデオカメラ、デジタルスチルカメラ、放送用カメラ、監視カメラ、そして銀塩フィルムを用いたカメラ等の撮像装置は高機能化され、又装置全体が小型化されている。そしてそれに用いる撮影光学系としてレンズ全長が短く、コンパクトで高ズーム比を有し、しかも高解像力のズームレンズが要求されている。
【０００３】
これらの要求に応えるズームレンズとして、物体側より像側へ順に、正、負の屈折力の第１〜２レンズ群と正の屈折力の群を含む後続の２以上の群からなるポジティブリード型のズームレンズが知られている（特許文献１）。
【０００４】
また、ポジティブリード型のズームレンズにおいて、主な変倍を行う第２レンズ群に含まれるレンズのレンズ形状や材料のアッベ数、屈折率等を適切に規定したズームレンズが知られている（特許文献２）。
【先行技術文献】
【特許文献】
【０００５】
【特許文献１】特許第５０２８１０４号公報
【特許文献２】特許第５１２７３５２号公報
【発明の概要】
【発明が解決しようとする課題】
【０００６】
近年、撮像装置に用いるズームレンズには、撮像装置の小型化に対応して高ズーム比で、かつレンズ系全体が小型であることが強く要望されている。一般にズームレンズを小型化するためには、ズームレンズを構成する各レンズ群の屈折力を強めつつ、レンズ枚数を削減すれば良い。
【０００７】
しかしながら、このようにしたズームレンズは、各レンズの屈折力が大きくなり各面の曲率が大きくなるため、適切なコバ厚を確保するためにはレンズ肉厚が増してしまう。これによりレンズ系の短縮効果が不十分になると同時に諸収差の変動が多くなり、全ズーム領域で高い光学性能を得るのが難しくなってくる。
【０００８】
特にポジティブリード型のズームレンズにおいては主たる変倍を行う第２レンズ群のレンズ構成を適切に設定することが重要な要素になっている。この第２レンズ群のレンズ構成が適切でないと、ズーミングによる収差変動、例えば、色収差、球面収差、ハロコマ収差、球面収差の色差等の変動が多くなり、高ズーム比で高性能化を図るのが困難となる。
【０００９】
また、高ズーム比化を図ったとき、望遠端において軸上色収差が増大し、更に２次スペクトルの残存収差等が多くなり、これらを良好に補正するのが困難となる。
【００１０】
例えば、高ズーム比化が要望される監視カメラ用のズームレンズでは第１レンズ群のレンズ構成と第２レンズ群のレンズ構成を適切に設定し、望遠側の軸上色収差の２次スペクトルを抑制することが重要になってくる。
【００１１】
本発明は、高ズーム比で、広角端から望遠端における全ズーム範囲にわたり色収差を良好に補正し、全ズーム範囲において高い光学性能を有するズームレンズ及びそれを有する撮像装置を提供することを目的とする。
【課題を解決するための手段】
【００１２】
上記の目的を達成するために、本発明に係るズームレンズは、
物体側より像側へ順に、正の屈折力の第１レンズ群、負の屈折力の第２レンズ群、２以上のレンズ群を含む後群を有し、広角端に比べて望遠端において該第１レンズ群と該第２レンズ群の間隔が広くなるように、少なくとも該第２レンズ群が移動するズームレンズであって、該第１レンズ群は少なくとも１枚の負レンズと３枚の正レンズを有し、該第２レンズ群は、少なくとも１枚の正レンズと、材料のｄ線に対する屈折率をＮ２ｎａ、ｄ線に対するアッベ数をνｄ２ｎａとするとき、
Ｎ２ｎａ＞２．３−０．０１・νｄ２ｎａ
１．７５＜Ｎ２ｎａ＜２．７
なる条件を満足する材料で構成される少なくとも１枚の負レンズＬ２ｎａと、を有することを特徴とする。
【発明の効果】
【００１３】
本発明によれば、レンズ全長の小型化を図ると共に、広角端から望遠端に至る全ズーム範囲にわたり良好なる光学性能を有するズームレンズが得られる。
【図面の簡単な説明】
【００１４】
【図１】実施例１のズームレンズの広角端におけるレンズ断面図である。
【図２（Ａ）】実施例１の広角端における収差図である。
【図２（Ｂ）】実施例１の焦点距離３８．０ｍｍにおける収差図である。
【図２（Ｃ）】実施例１の望遠端における収差図である。
【図３】実施例２のズームレンズの広角端におけるレンズ断面図である。
【図４（Ａ）】実施例２の広角端における収差図である。
【図４（Ｂ）】実施例２の焦点距離３８．６ｍｍにおける収差図である。
【図４（Ｃ）】実施例２の望遠端における収差図である。
【図５】実施例３のズームレンズの広角端におけるレンズ断面図である。
【図６（Ａ）】実施例３の広角端における収差図である。
【図６（Ｂ）】実施例３の焦点距離４０．４ｍｍにおける収差図である。
【図６（Ｃ）】実施例３の望遠端における収差図である。
【図７】実施例４のズームレンズの広角端におけるレンズ断面図である。
【図８（Ａ）】実施例４の広角端における収差図である。
【図８（Ｂ）】実施例４の焦点距離４０．５ｍｍにおける収差図である。
【図８（Ｃ）】実施例４の望遠端における収差図である。
【図９】実施例５のズームレンズの広角端におけるレンズ断面図である。
【図１０（Ａ）】実施例５の広角端における収差図である。
【図１０（Ｂ）】実施例５の焦点距離３９．１ｍｍにおける収差図である。
【図１０（Ｃ）】実施例５の望遠端における収差図である。
【図１１】実施例６のズームレンズの広角端におけるレンズ断面図である。
【図１２（Ａ）】実施例６の広角端における収差図である。
【図１２（Ｂ）】実施例６の焦点距離３５．３ｍｍにおける収差図である。
【図１２（Ｃ）】実施例６の望遠端における収差図である。
【図１３】実施例７のズームレンズの広角端におけるレンズ断面図である。
【図１４（Ａ）】実施例７の広角端における収差図である。
【図１４（Ｂ）】実施例７の焦点距離２５．９ｍｍにおける収差図である。
【図１４（Ｃ）】実施例７の望遠端における収差図である。
【図１５】部分分散比特性図の概略図である。
【図１６】本発明の撮像装置の要部概略図である。
【発明を実施するための形態】
【００１５】
以下に本発明の実施の形態を添付の図面に基づいて詳細に説明する。
【００１６】
図１は本発明の実施例１としての数値実施例１の広角端で、無限遠物体に合焦しているときのレンズ断面図である。図２（Ａ）、（Ｂ）、（Ｃ）は、数値実施例１の広角端、ｆ＝３８．０ｍｍ、望遠端（長焦点距離端）における無限遠物体に合焦しているときの縦収差図である。
【００１７】
図３は本発明の実施例２としての数値実施例２の広角端で、無限遠物体に合焦しているときのレンズ断面図である。図４（Ａ）、（Ｂ）、（Ｃ）は、数値実施例２の広角端、ｆ＝３８．６ｍｍ、望遠端（長焦点距離端）における無限遠物体に合焦しているときの縦収差図である。
【００１８】
図５は本発明の実施例３としての数値実施例３の広角端で、無限遠物体に合焦しているときのレンズ断面図である。図６（Ａ）、（Ｂ）、（Ｃ）は、数値実施例３の広角端、ｆ＝４０．４ｍｍ、望遠端（長焦点距離端）における無限遠物体に合焦しているときの縦収差図である。
【００１９】
図７は本発明の実施例４としての数値実施例４の広角端で、無限遠物体に合焦しているときのレンズ断面図である。図８（Ａ）、（Ｂ）、（Ｃ）は、数値実施例４の広角端、ｆ＝４０．５ｍｍ、望遠端（長焦点距離端）における無限遠物体に合焦しているときの縦収差図である。
【００２０】
図９は本発明の実施例５としての数値実施例５の広角端で、無限遠物体に合焦しているときのレンズ断面図である。図１０（Ａ）、（Ｂ）、（Ｃ）は、数値実施例５の広角端、ｆ＝３９．１ｍｍ、望遠端（長焦点距離端）における無限遠物体に合焦しているときの縦収差図である。
【００２１】
図１１は本発明の実施例６としての数値実施例６の広角端で、無限遠物体に合焦しているときのレンズ断面図である。図１２（Ａ）、（Ｂ）、（Ｃ）は、数値実施例６の広角端、ｆ＝３５．３ｍｍ、望遠端（長焦点距離端）における無限遠物体に合焦しているときの縦収差図である。
【００２２】
図１３は本発明の実施例７としての数値実施例７の広角端で、無限遠物体に合焦しているときのレンズ断面図である。図１４（Ａ）、（Ｂ）、（Ｃ）は、数値実施例７の広角端、ｆ＝２５．９ｍｍ、望遠端（長焦点距離端）における無限遠物体に合焦しているときの縦収差図である。
【００２３】
縦収差図において、球面収差、倍率色収差はｄ線（実線）、ｇ線（二点鎖線）、Ｃ線（一点鎖線）を示している。非点収差はｄ線のメリディオナル像面（破線）とサジタル像面（実線）を示している。ＦｎｏはＦナンバー、ωは撮影半画角を表す。縦収差図では、球面収差は０．２ｍｍ、非点収差は０．２ｍｍ、歪曲は１０％、倍率色収差は０．１ｍｍのスケールで描かれている。
【００２４】
各実施例のズームレンズは、物体側より像側へ順に、正の屈折力の第１レンズ群、負の屈折力の第２レンズ群、２つ以上のレンズ群を含む後群を有している。そして広角端に比べ望遠端での第１レンズ群と第２レンズ群の間隔が広くなるように、少なくとも第２レンズ群が移動するズームレンズである。そして後群としては、少なくとも１つの正の屈折力のレンズ群を有している。例えば後群は、物体側から像側へ順に正の屈折力の第３レンズ群、正の屈折力の第４レンズ群から構成されている。
【００２５】
また、各実施例の第１レンズ群は少なくとも１枚の負レンズと３枚の正レンズを有している。これにより、正の屈折力を持つ第１レンズ群の中における各正レンズの屈折力を比較的小さくすることができるため、低屈折率かつ低分散の硝材を用いることができる。これにより、特に望遠端において軸上光線が高い位置を通るため発生する軸上色収差の２次スペクトルを低減することが可能となる。
【００２６】
また、各実施例の第２レンズ群は少なくとも負レンズと正レンズを１枚ずつ有している。これにより、第２レンズ群内での色消しが可能となり、色収差のズーム変動を抑制することが可能となる。
【００２７】
各実施例においては次の条件の１以上を満足するのがより好ましい。これによれば、各条件に相当する効果を得ることができる。
【００２８】
第２レンズ群Ｌ２中の少なくとも１つの負レンズＬ２ｎａの焦点距離をｆ２ｎａ、材料のｄ線（波長５８７．６ｎｍ）に対する屈折率をＮ２ｎａ、ｄ線に対するアッベ数をνｄ２ｎａ、部分分散比をθｇＦｎａとする。
【００２９】
第１レンズ群Ｌ１、第２レンズ群Ｌ２の焦点距離をそれぞれｆ１、ｆ２とする。
【００３０】
広角端における全系の焦点距離をｆｗとする。
【００３１】
第２レンズ群Ｌ２中の少なくとも１つの正レンズＬ２ｎｐの材料のアッベ数をνｄ２ｐａ、部分分散比をθｇＦｐａとする。
【００３２】
このとき、各実施例は、
２．３−０．０１×νｄ２ｎａ＜Ｎ２ｎａ・・・・（１）
１．７５＜Ｎ２ｎａ＜２．７・・・・（２）
０．５＜ｆ２ｎａ／ｆ２＜２．５・・・（３）
−１０．０＜ｆ１／ｆ２＜−５．３・・・（４）
−１．８＜ｆ２／ｆｗ＜−０．５・・・（５）
５．０＜ｆ１／ｆｗ＜２２．０・・・（６）
（θｇｆｐａ−θｇｆｎａ）／（νｄ２ｐａ−νｄ２ｎａ）＜−５．０×１０−３‥‥‥（７）
なる条件式を満たしている。
【００３３】
ここで、本実施例で用いている光学素子（レンズ）の材料の部分分散比とアッベ数は次のとおりである。フラウンフォーファ線のｇ線（４３５．８ｎｍ）、Ｆ線（４８６．１ｎｍ）、ｄ線（５８７．６ｎｍ）、Ｃ線（６５６．３ｎｍ）に対する屈折率をそれぞれＮｇ、ＮＦ、Ｎｄ、ＮＣとする。アッベ数νｄ、ｇ線とＦ線に関する部分分散比θｇＦは次のとおりである。
νｄ＝（Ｎｄ−１）／（ＮＦ−ＮＣ）
θｇＦ＝（Ｎｇ−ＮＦ）／（ＮＦ−ＮＣ）
次に前述の各条件式の技術的意味について説明する。
【００３４】
条件式（１）および（２）は、第２レンズ群Ｌ２中の負レンズＬ２ｎａの材料の屈折率およびアッベ数との関係を規定する式である。屈折率が、アッベ数の値から計算される条件式（１）の下限値を超えると、屈折率に対する分散が大きくなりすぎる。この結果、第２レンズ群Ｌ２中の正レンズとの分散の差が小さくなるため、二次の色消しを行うためにはＬ２ｎａの屈折力が大きくなり、曲率が大きくなることで高次収差が発生するため好ましくない。
【００３５】
また屈折率が条件式（２）の下限値を超えると、Ｌ２ｎａの屈折力が、Ｌ２ｎａの曲率を同じとした場合、比較的小さくなる。これにより第２レンズ群Ｌ２の屈折力が小さくなり、高ズーム比を確保するためにはＬ２の移動量が大きくなりすぎ、全系の小型化に不利となる。また、屈折力を大きくするためにＬ２ｎａの曲率が大きくなるとすると、高次収差に不利となり、ズーム全域での高性能化に不利となり、好ましくない。
【００３６】
又、屈折率が上限値を超えると、負レンズＬ２ｎａでペッツバール和をマイナス側に補正する効果が薄れてくる。この結果像面湾曲がアンダー側に大きく倒れてくるので良くない。
【００３７】
条件式（３）は、第２レンズ群Ｌ２において、負レンズＬ２ｎａの屈折力の分担を規定する式である。条件式（３）の下限値を超えると、負レンズＬ２ｎａの焦点距離ｆ２ｎａが小さくなり、負レンズＬ２ｎａにおける広角端での軸外光線によって発生する収差が大きくなる。この結果、広角端において倍率色収差が増加し、更に大きな樽型の歪曲収差が発生してくる。一方上限値を越えると、負レンズＬ２ｎａの焦点距離ｆ２ｎａが大きくなり、第２レンズ群Ｌ２の他の負レンズで大きな屈折力の分担が必要となる。この結果、第２レンズ群Ｌ２全体のレンズ枚数が増えてきてレンズ系全体が大型化してくる。
【００３８】
条件式（４）および（５）および（６）は、第１レンズ群Ｌ１および第２レンズ群の焦点距離と全系の広角端における焦点距離の分担をそれぞれ規定する式である。
【００３９】
条件式（４）の下限値を越えると、第２レンズ群Ｌ２の屈折力が大きくなりすぎ、ズームによる諸収差の変動が多くなり、全ズーム領域において高い光学性能を得るのが難しくなってくる。一方上限値を越えると、第１レンズ群Ｌ１の屈折力が大きくなりすぎるか、第２レンズ群Ｌ２の屈折力が小さくなりすぎるため、高ズーム比を得ることが困難となる。
【００４０】
条件式（５）の下限値を越えると、第２レンズ群Ｌ２の屈折力が大きくなりすぎ、ズームによる諸収差の変動が多くなり、全ズーム領域において高い光学性能を得るのが難しくなってくる。一方上限値を越えると、第２レンズ群Ｌ２の屈折力が小さくなりすぎるため、高ズーム比を得るためには第２レンズ群Ｌ２の移動量を多くしなければならず、小型化が困難となる。
【００４１】
条件式（６）の下限値を越えると、第１レンズ群Ｌ１の屈折力が大きくなりすぎ、高ズーム比を得ることが困難となる。一方上限値を越えて大きくなると、第１レンズ群Ｌ１の屈折力が小さくなりすぎ、諸収差の変動の抑制が困難となるためズーム全域において高い光学性能を得ることに対して好ましくない。
【００４２】
また、各実施例では、第２レンズ群のレンズ構成を前述の如く特定し、かつ条件式（７）を満足するようにして色消しを効果的に行っている。各実施例では、ズームレンズの高倍率化（高ズーム比化）に伴って増大する望遠側における軸上色収差の２次スペクトルを抑制しつつ、全系のコンパクト化を達成している。
【００４３】
条件式（７）の上限値を越えると、第２レンズ群で十分な色消しを行うのが難しくなる。特に、望遠側において軸上色収差の２次スペクトルを良好に補正するのが困難となる。ここでの色消しとは、各実施例において軸上色収差の２次スペクトルの補正の度合いについて適用するものとする。
【００４４】
また第２レンズ群Ｌ２において色消しが強いということは、図１５に示す縦軸に部分分散比、横軸にアッベ数をとった部分分散特性図における色消しレンズの傾きが、二点鎖線Ｃ２のように急峻であることを意味する。
【００４５】
本来は、図１５中の実線ＡＣのように傾きが平らになるような硝材の選択をすると、３色色消しが達成されて色収差の発生を抑制できる。
【００４６】
しかし、実在する硝材の選択によって正の屈折力の第１レンズ群を構成すると、一点鎖線Ｃ１のようにある程度の傾きを有する場合が多い。軸上色収差の２次スペクトルは、この傾きに焦点距離を乗じたものに比例して発生するため、傾きが大きくなればなるほど２次スペクトルは大きく残存することになる。
【００４７】
このように第１レンズ群によって補正し切れなかった色収差を補正するためには、第２レンズ群Ｌ２を図１５の二点鎖線Ｃ２で示すように意図的に傾きを急峻にして逆色消しを構築する必要がある。条件式（７）はこの傾きを規定している。条件式（７）における値が小さくなるにつれ、第２レンズ群が有する色消しの傾きが急峻になり、色消しの効果が大きいことになる。  条件式（７）を外れると色消し効果が少なくなってくる。
【００４８】
なお、さらに好ましくは条件式（２）〜（７）の数値範囲を次の如く設定するのが良い。
２．０＜Ｎ２ｎａ＜２．２  ・・・・（２ａ）
０．９＜ｆ２ｎａ／ｆ２＜１．５・・・（３ａ）
−８．０＜ｆ１／ｆ２＜−５．５・・・（４ａ）
−１．７＜ｆ２／ｆｗ＜−１．１・・・（５ａ）
７．０＜ｆ１／ｆｗ＜１５．０・・・（６ａ）
（θｇｆｐａ−θｇｆｎａ）／（νｄ２ｐａ−νｄ２ｎａ）＜−５．３×１０−３‥‥‥（７ａ）
以下に本発明のズームレンズの数値実施例１〜７のレンズ構成の特徴を説明する。各実施例のレンズ断面図において、ＩＰは像面であり、固体撮像素子の撮像面に相当している。以下、レンズ構成は特に断りがない限り、物体側から像側へ順に配置されているとして説明する。
【００４９】
［実施例１］
第１の実施例に示すズームレンズでは、正の屈折力の第１レンズ群Ｌ１、負の屈折力の第２レンズ群Ｌ２、正の屈折力の第３レンズ群Ｌ３、正の屈折力の第４レンズ群Ｌ４で構成されている。広角端から望遠端へのズーミングに際して、第２レンズ群Ｌ２は像側に移動して主たる変倍を行い、第４レンズ群Ｌ４は物体側に凸状の軌跡で移動して、主に変倍に伴う像面変動を補正している。
【００５０】
第１レンズ群Ｌ１は、物体側から順に負レンズ１枚と正レンズ１枚の接合レンズと、正レンズ２枚で構成されている。第１レンズ群を４枚のレンズ要素で構成することで、高ズーム比ながら球面収差と、軸上色収差および倍率色収差の各色収差補正を行っている。
【００５１】
第２レンズ群Ｌ２は、物体側から順に負レンズ１枚と、負レンズ１枚と正レンズ１枚の接合レンズと、正レンズ１枚と負レンズ１枚の接合レンズとで構成されている。最も物体側の負レンズは前述のＬ２ｎａであり、高屈折率ながら比較的低分散、低部分分散比の特徴を持っている。また、物体側から３枚目のレンズである正レンズは前述のＬ２ｐａであり、高分散かつ高部分分散比の特徴を持ち、Ｌ２ｎａとの組み合わせで望遠端の軸上色収差の補正を良好にしている。
【００５２】
第３レンズ群Ｌ３は、物体側から順に正レンズ２枚と負レンズ１枚とで構成されている。最も物体側のレンズは両面非球面レンズであり、球面収差を良好に補正している。
【００５３】
第４レンズ群Ｌ４は、正レンズ１枚と負レンズ１枚の接合レンズからなる。正レンズの物体側の面は非球面であり、球面収差とズームによる像面湾曲の変動を良好に補正している。また、接合レンズとすることで、ズームによる軸上色収差および倍率色収差の変動を良好に補正している。
【００５４】
第１の実施例の各条件式対応値を表１に示す。数値実施例１はいずれの条件式も満足しており、高ズーム比化、小型化を達成しつつ、良好な光学性能を有するズームレンズを実現している。
【００５５】
なお、本発明における接合レンズは微少な空気間隔を有する分離レンズとして存在していてもよい。これは本発明においてレンズ形状としての変形及び変更の想定内であり、以下全ての実施例においても同様である。
【００５６】
［実施例２］
第２の実施例に示すズームレンズでは、正の屈折力の第１レンズ群Ｌ１、負の屈折力の第２レンズ群Ｌ２、正の屈折力の第３レンズ群Ｌ３、正の屈折力の第４レンズ群Ｌ４、負の屈折力の第５レンズＬ５で構成されている。広角端から望遠端へのズーミングに際して、第２レンズ群Ｌ２は像側に移動して主たる変倍を行い、第４レンズ群Ｌ４は物体側に凸状の軌跡で移動して、主に変倍に伴う像面変動を補正している。
【００５７】
第１レンズ群Ｌ１は、実施例１の構成と同様である。
【００５８】
第２レンズ群Ｌ２は、物体側から順に負レンズ２枚と、正レンズ１枚と負レンズ１枚の接合レンズとで構成されている。最も物体側の負レンズは前述のＬ２ｎａであり、高屈折率ながら比較的低分散、低部分分散比の特徴を持っている。また、物体側から３枚目のレンズである正レンズは前述のＬ２ｐａであり、高分散かつ高部分分散比の特徴を持ち、Ｌ２ｎａとの組み合わせで望遠端の軸上色収差の補正を良好にしている。
【００５９】
第３レンズ群Ｌ３は、物体側から順に正レンズ１枚と負レンズ１枚とで構成されている。正レンズは両面非球面レンズであり、球面収差を良好に補正している。
【００６０】
第４レンズ群Ｌ４は、実施例１の構成と同様である。
【００６１】
第５レンズ群Ｌ５は、物体側から順に負レンズ１枚と、正レンズ１枚と負レンズ１枚の接合レンズとで構成されている。像面補正を行う第４レンズ群Ｌ４と像面との間に、負の屈折力を持つ第５レンズ群Ｌ５を配置することで、第４レンズ群Ｌ４の像面補正のための移動量を軽減することができ、ズームによる光学性能の変動を抑制することが可能となる。
【００６２】
第２の実施例の各条件式対応値を表１に示す。数値実施例２はいずれの条件式も満足しており、高ズーム比化、小型化を達成しつつ、良好な光学性能を有するズームレンズを実現している。
【００６３】
［実施例３］
第３の実施例に示すズームレンズにおける屈折力の配置は、第１の実施例と同様である。
【００６４】
第１レンズ群Ｌ１は、実施例１の構成と同様である。
【００６５】
第２レンズ群Ｌ２は、実施例２の構成と同様で、物体側から順に負レンズ２枚と、正レンズ１枚と負レンズ１枚の接合レンズとで構成されている。最も物体側の負レンズは前述のＬ２ｎａであり、高屈折率ながら比較的低分散、低部分分散比の特徴を持っている。また、物体側から３枚目のレンズである正レンズは前述のＬ２ｐａであり、実施例２の該正レンズより高分散かつ高部分分散比の特徴を持ち、Ｌ２ｎａとの組み合わせで望遠端の軸上色収差の補正をより良好にしている。
【００６６】
第３レンズ群Ｌ３は、実施例２の構成と同様である。
【００６７】
第４レンズ群Ｌ４は、正レンズ１枚と、正レンズ１枚と負レンズ１枚の接合レンズからなる。物体側から２つめの正レンズの物体側の面は非球面であり、球面収差とズームによる像面湾曲の変動を良好に補正している。また、接合レンズを有することで、ズームによる軸上色収差および倍率色収差の変動を良好に補正している。
【００６８】
第３の実施例の各条件式対応値を表１に示す。数値実施例３はいずれの条件式も満足しており、高ズーム比化、小型化を達成しつつ、良好な光学性能を有するズームレンズを実現している。
【００６９】
［実施例４］
第４の実施例に示すズームレンズにおける屈折力の配置は、第３の実施例と同様である。
【００７０】
第１レンズ群Ｌ１は、実施例３の構成と同様である。
【００７１】
第２レンズ群Ｌ２は、実施例３の構成と同様で、物体側から順に負レンズ２枚と、正レンズ１枚と負レンズ１枚の接合レンズとで構成されている。最も物体側の負レンズは前述のＬ２ｎａであり、実施例３の該負レンズよりも高屈折率ながら低分散、低部分分散比の特徴を持っている。また、物体側から３枚目のレンズである正レンズは前述のＬ２ｐａであり、高分散かつ高部分分散比の特徴を持ち、Ｌ２ｎａとの組み合わせで望遠端の軸上色収差の補正を良好にしている。
【００７２】
第３レンズ群Ｌ３は、実施例３の構成と同様である。
【００７３】
第４レンズ群Ｌ４は、実施例３の構成と同様である。
【００７４】
第４の実施例の各条件式対応値を表１に示す。数値実施例４はいずれの条件式も満足しており、高ズーム比化、小型化を達成しつつ、良好な光学性能を有するズームレンズを実現している。
【００７５】
［実施例５］
第５の実施例に示すズームレンズにおける屈折力の配置は、第２の実施例と同様である。
【００７６】
第１レンズ群Ｌ１は、実施例２の構成と同様である。
【００７７】
第２レンズ群Ｌ２は、実施例２の構成と同様で、物体側から順に負レンズ２枚と、正レンズ１枚と負レンズ１枚の接合レンズとで構成されている。最も物体側のレンズは前述のＬ２ｎａであり、実施例２の該負レンズより高屈折率ながら低分散、低部分分散比の特徴を持っている。また、物体側から３枚目のレンズである正レンズは前述のＬ２ｐａであり、高分散かつ高部分分散比の特徴を持ち、Ｌ２ｎａとの組み合わせで望遠端の軸上色収差の補正を良好にしている。
【００７８】
第３レンズ群Ｌ３は、実施例２の構成と同様である。
【００７９】
第４レンズ群Ｌ４は、実施例２の構成と同様である。
【００８０】
第５の実施例の各条件式対応値を表１に示す。数値実施例５はいずれの条件式も満足しており、高ズーム比化、小型化を達成しつつ、良好な光学性能を有するズームレンズを実現している。
［実施例６］
第６の実施例に示すズームレンズにおける屈折力の配置は、第２の実施例と同様である。
【００８１】
第１レンズ群Ｌ１は、実施例２の構成と同様である。
【００８２】
第２レンズ群Ｌ２は、実施例２の構成と同様で、物体側から順に負レンズ２枚と、正レンズ１枚と負レンズ１枚の接合レンズとで構成されている。最も物体側のレンズは前述のＬ２ｎａであり、高屈折率ながら比較的低分散、低部分分散比の特徴を持っている。また、物体側から３枚目のレンズである正レンズは前述のＬ２ｐａであり、高分散かつ高部分分散比の特徴を持ち、Ｌ２ｎａとの組み合わせで望遠端の軸上色収差の補正を良好にしている。
【００８３】
第３レンズ群Ｌ３は、実施例２の構成と同様である。
【００８４】
第４レンズ群Ｌ４は、実施例２の構成と同様である。
【００８５】
第６の実施例の各条件式対応値を表１に示す。数値実施例６はいずれの条件式も満足しており、高ズーム比化、小型化を達成しつつ、良好な光学性能を有するズームレンズを実現している。
【００８６】
［実施例７］
第７の実施例に示すズームレンズにおける屈折力の配置は、第３の実施例と同様である。
【００８７】
第１レンズ群Ｌ１は、実施例３の構成と同様である。
【００８８】
第２レンズ群Ｌ２は、実施例３の構成と同様で、物体側から順に負レンズ２枚と、正レンズ１枚と負レンズ１枚の接合レンズとで構成されている。最も物体側の負レンズは前述のＬ２ｎａであり、実施例３の該負レンズよりも高屈折率ながら低分散、低部分分散比の特徴を持っている。また、物体側から３枚目のレンズである正レンズは前述のＬ２ｐａであり、高分散かつ高部分分散比の特徴を持ち、Ｌ２ｎａとの組み合わせで望遠端の軸上色収差の補正を良好にしている。
【００８９】
第３レンズ群Ｌ３は、実施例３の構成と同様である。
【００９０】
第４レンズ群Ｌ４は、実施例３の構成と同様である。
【００９１】
第７の実施例の各条件式対応値を表１に示す。数値実施例７はいずれの条件式も満足しており、高ズーム比化、小型化を達成しつつ、良好な光学性能を有するズームレンズを実現している。
【００９２】
各実施例では、高変倍、コンパクトで球面収差、コマ収差、像面湾曲、軸上色収差、倍率色収差が良好に補正された高画素のデジタルカメラ、ビデオカメラ等に対応可能な高性能なズームレンズを達成している。
【００９３】
次に本発明のズームレンズを撮影光学系として用いたビデオカメラ（撮像装置）の実施例を図１６を用いて説明する。
【００９４】
図１６において、１０はビデオカメラ本体、１１は実施例１〜７で説明したいずれかのズームレンズによって構成された撮影光学系である。
【００９５】
１２はカメラ本体に内蔵され、撮影光学系１１によって形成された被写体像を受光するＣＣＤセンサやＣＭＯＳセンサ等の固体撮像素子（光電変換素子）である。
１３は固体撮像素子１２によって光電変換された被写体像に対応する情報を記録するメモリである。
【００９６】
１４は不図示の表示素子に表示された被写体像を観察するためのファインダである。
【００９７】
上記表示素子は液晶パネル等によって構成され、撮像素子１２上に形成された被写体像が表示される。
【００９８】
以上、本発明の好ましい実施形態について説明したが、本発明はこれらの実施形態に限定されず、その要旨の範囲内で種々の変形及び変更が可能である。
【００９９】
次に本発明の実施例１〜７に対応する数値実施例１〜７を示す。
【０１００】
各数値実施例においてｉは物体側からの面の順序を示し、ｒｉは物体側より第ｉ番目の面の曲率半径、ｄｉは物体側より第ｉ面と第ｉ＋１番目の間隔、ｎｄｉ、νｄｉ、θｇＦｉは第ｉ番目の光学部材の屈折率、アッベ数、部分分散比である。各面の焦点距離はレンズ単体の焦点距離を表している。各面の有効径は光線が通る径を表している。
【０１０１】
焦点距離、Ｆナンバー、半画角は、それぞれ無限遠物体に焦点を合わせたときの値を表している。ＢＦはレンズの最終面から像面までの距離である。
【０１０２】
尚、非球面形状は、光軸方向の座標をｘ、光軸と垂直方向の座標をｙ、基準の曲率半径をＲ、円錐常数をｋ、ｎ次の非球面係数をＡｎとして、以下の式で表される。但し、「ｅ−ｘ」は「×１０−ｘ」を意味している。尚、非球面を有するレンズ面には各表中の面番号の左側に＊印を付している。
【０１０３】
ｘ＝（ｙ２／ｒ）／｛１＋（１−ｋ・ｙ２／ｒ２）０．５｝＋Ａ４・ｙ４＋Ａ６・ｙ６＋Ａ８・ｙ８＋Ａ１０・ｙ１０
数値実施例１
単位 mm
面番号     ri        di        ndi       vdi      θgFi     有効径   焦点距離
1       52.36274   1.25000  2.000690   25.46    0.6133     39.997    -99.842
2       34.05201   6.17530  1.496999   81.54    0.5374     37.519     76.486
3      299.53078   0.15000  1.000000    0.00    0.0000     36.755      0.000
4       39.01316   4.10218  1.496999   81.54    0.5374     33.501     93.754
5      227.92875   0.10000  1.000000    0.00    0.0000     32.665      0.000
6       25.33812   3.57663  1.595220   67.74    0.5442     27.775     67.839
7       64.05420    (可変)  1.000000    0.00    0.0000     26.716      0.000
8       54.92407   0.45000  2.049760   27.07    0.6050     11.364     -6.383
9        5.99299   2.67971  1.000000    0.00    0.0000      8.813      0.000
10      -24.73485   0.40000  2.049760   27.07    0.6050      8.663     -7.164
11       11.03373   1.05174  1.959060   17.47    0.6599      8.650     18.080
12       28.26208   0.26613  1.000000    0.00    0.0000      8.665      0.000
13       13.78882   2.78129  1.922860   18.90    0.6495      8.914      7.201
14      -11.85661   0.34000  1.953750   32.32    0.5898      8.738    -11.876
15      306.67147    (可変)  1.000000    0.00    0.0000      8.578      0.000
16        0.00000   1.00000  1.000000    0.00    0.0000     10.813      0.000
*17      10.53083   3.31796  1.583126   59.38    0.5423     11.550     17.041
*18    -167.65573   0.88698  1.000000    0.00    0.0000     11.169      0.000
19      -87.05370   1.36871  1.496999   81.54    0.5374     10.869    100.982
20      -32.06059   0.10000  1.000000    0.00    0.0000     10.638      0.000
21       17.38251   0.50000  2.001000   29.13    0.5997      9.991    -23.237
22        9.83826    (可変)  1.000000    0.00    0.0000      9.452      0.000
*23      15.23310   3.47471  1.553320   71.68    0.5402     10.761     13.668
24      -13.88794   0.45000  1.959060   17.47    0.6599     10.683    -52.208
25      -19.42702    (可変)  1.000000    0.00    0.0000     10.783      0.000
26        0.00000   1.43000  1.516330   64.14    0.5352     20.000      0.000
27        0.00000   3.81000  1.000000    0.00    0.0000     20.000      0.000
非球面データ
第17面
K = 1.87640e-001  A 4=-1.24609e-004  A 6=-2.10089e-008  A 8=-2.27820e-008  A10=-2.78349e-012  
第18面
K = 2.22806e+001  A 4= 3.50472e-005  A 6= 6.95377e-007  A 8=-3.09162e-008  A10= 2.34640e-010  
第23面
K =-2.62894e-001  A 4=-4.20230e-005  A 6=-3.07583e-007  A 8= 2.27478e-009  
各種データ
ズーム比     33.00 
広角     中間     望遠
焦点距離       4.40    37.99   145.28  
Fナンバー      1.90     2.60     4.90  
半画角        34.27     4.52     1.18  
像高           3.00     3.00     3.00  
レンズ全長    89.78    89.78    89.78  
BF             3.81     3.81     3.81  
d 7            0.60    20.08    24.94  
d15           26.14     6.67     1.80  
d22           13.30     5.68    21.32  
d25           10.07    17.69     2.06  
d27            3.81     3.81     3.81  
ズームレンズ群データ
群  始面    焦点距離  
1    1      36.92  
2    8      -5.52  
3   16      29.10  
4   23      18.27  
5   26       ∞    
数値実施例２
単位 mm
面番号     ri        di        ndi       vdi      θgFi     有効径   焦点距離
1       63.45522   1.25000  1.846660   23.78    0.6205     37.430   -114.533
2       38.15562   5.11497  1.496999   81.54    0.5374     35.461     81.580
3      591.01735   0.15000  1.000000    0.00    0.0000     34.845      0.000
4       42.72761   3.22694  1.537750   74.70    0.5393     32.195    104.362
5      172.54824   0.10000  1.000000    0.00    0.0000     31.536      0.000
6       28.65907   3.06660  1.595220   67.74    0.5442     27.994     77.200
7       72.68730    (可変)  1.000000    0.00    0.0000     27.224      0.000
8      109.54199   0.45000  2.049760   27.07    0.6050     11.149     -6.332
9        6.30521   2.67159  1.000000    0.00    0.0000      8.896      0.000
10      -20.73296   0.40000  2.001000   29.13    0.5997      8.800    -14.751
11       53.29359   0.12000  1.000000    0.00    0.0000      8.895      0.000
12       12.98841   2.97257  1.959060   17.47    0.6599      9.169      6.458
13      -10.77616   0.40000  2.001000   29.13    0.5997      8.939     -8.633
14       46.32169    (可変)  1.000000    0.00    0.0000      8.663      0.000
15        0.00000   1.00000  1.000000    0.00    0.0000     14.140      0.000
*16      11.59572   4.79325  1.583126   59.38    0.5423     15.380     14.523
*17     -27.01027   0.37924  1.000000    0.00    0.0000     15.017      0.000
18       22.25098   0.55000  2.000690   25.46    0.6133     13.407    -28.283
19       12.35245    (可変)  1.000000    0.00    0.0000     12.585      0.000
*20      12.61009   3.17996  1.553320   71.68    0.5402     10.889     12.344
21      -13.65801   0.50000  1.959060   17.47    0.6599     10.491    -57.479
22      -18.40403    (可変)  1.000000    0.00    0.0000     10.507      0.000
23       42.00644   0.40000  1.772499   49.60    0.5521      7.323    -10.254
24        6.66370   0.95926  1.000000    0.00    0.0000      6.851      0.000
25       31.13861   2.34913  1.595509   39.24    0.5804      6.892      8.341
26       -5.78382   0.50000  1.883000   40.80    0.5652      6.935    -15.943
27      -10.17543    (可変)  1.000000    0.00    0.0000      7.190      0.000
28        0.00000   1.43000  1.516330   64.14    0.5352     20.000      0.000
29        0.00000   3.81000  1.000000    0.00    0.0000     20.000      0.000
非球面データ
第16面
K =-9.94741e-001  A 4=-3.06997e-005  A 6= 2.21579e-007  
第17面
K = 0.00000e+000  A 4= 4.04667e-005  A 6= 2.61400e-007  A 8=-1.42630e-009  
第20面
K =-1.29861e+000  A 4=-3.72561e-005  A 6=-1.18188e-007  
各種データ
ズーム比     34.00 
広角     中間     望遠
焦点距離       4.22    38.58   143.35  
Fナンバー      1.60     2.80     4.90  
半画角        35.43     4.45     1.20  
像高           3.00     3.00     3.00  
レンズ全長    85.19    85.19    85.19  
BF             3.81     3.81     3.81  
d 7            0.60    22.79    28.34  
d14           29.54     7.35     1.80  
d19            9.71     4.01    12.28  
d22            4.57    10.26     2.00  
d27            1.00     1.00     1.00  
d29            3.81     3.81     3.81  
ズームレンズ群データ
群  始面    焦点距離  
1    1      39.74  
2    8      -5.36  
3   15      24.20  
4   20      15.61  
5   23     -35.00  
6   28       ∞    
数値実施例３
単位 mm
面番号     ri        di        ndi       vdi      θgFi     有効径   焦点距離
1       63.45522   1.25000  1.846660   23.78    0.6205     37.430   -114.533
2       38.15562   5.11497  1.496999   81.54    0.5374     35.461     81.580
3      591.01735   0.15000  1.000000    0.00    0.0000     34.845      0.000
4       42.72761   3.22694  1.537750   74.70    0.5393     32.195    104.362
5      172.54824   0.10000  1.000000    0.00    0.0000     31.536      0.000
6       28.65907   3.06660  1.595220   67.74    0.5442     27.994     77.200
7       72.68730    (可変)  1.000000    0.00    0.0000     27.224      0.000
8      109.54199   0.45000  2.049760   27.07    0.6050     11.149     -6.332
9        6.30521   2.67159  1.000000    0.00    0.0000      8.896      0.000
10      -20.73296   0.40000  2.001000   29.13    0.5997      8.800    -14.751
11       53.29359   0.12000  1.000000    0.00    0.0000      8.895      0.000
12       12.98841   2.97257  1.959060   17.47    0.6599      9.169      6.458
13      -10.77616   0.40000  2.001000   29.13    0.5997      8.939     -8.633
14       46.32169    (可変)  1.000000    0.00    0.0000      8.663      0.000
15        0.00000   1.00000  1.000000    0.00    0.0000     14.140      0.000
*16      11.59572   4.79325  1.583126   59.38    0.5423     15.380     14.523
*17     -27.01027   0.37924  1.000000    0.00    0.0000     15.017      0.000
18       22.25098   0.55000  2.000690   25.46    0.6133     13.407    -28.283
19       12.35245    (可変)  1.000000    0.00    0.0000     12.585      0.000
*20      12.61009   3.17996  1.553320   71.68    0.5402     10.889     12.344
21      -13.65801   0.50000  1.959060   17.47    0.6599     10.491    -57.479
22      -18.40403    (可変)  1.000000    0.00    0.0000     10.507      0.000
23       42.00644   0.40000  1.772499   49.60    0.5521      7.323    -10.254
24        6.66370   0.95926  1.000000    0.00    0.0000      6.851      0.000
25       31.13861   2.34913  1.595509   39.24    0.5804      6.892      8.341
26       -5.78382   0.50000  1.883000   40.80    0.5652      6.935    -15.943
27      -10.17543    (可変)  1.000000    0.00    0.0000      7.190      0.000
28        0.00000   1.43000  1.516330   64.14    0.5352     20.000      0.000
29        0.00000   3.81000  1.000000    0.00    0.0000     20.000      0.000
非球面データ
第16面
K = 2.37028e-001  A 4=-1.42457e-004  A 6=-6.60905e-007  A 8=-9.97083e-009  A10=-6.31625e-011  
第17面
K = 1.68394e+001  A 4= 8.73687e-005  A 6= 4.79333e-007  A 8=-1.80989e-008  A10= 3.23788e-010  
第20面
K =-9.61225e-001  A 4=-2.77221e-005  A 6=-3.85729e-007  A 8= 2.39500e-009  
各種データ
ズーム比     32.99 
広角     中間     望遠
焦点距離       4.27    40.35   140.77  
Fナンバー      1.60     2.70     4.90  
半画角        35.11     4.25     1.22  
像高           3.00     3.00     3.00  
レンズ全長    90.02    90.02    90.02  
BF             3.81     3.81     3.81  
d 7            0.60    20.80    25.85  
d14           27.05     6.85     1.80  
d19           13.81     4.62    20.91  
d24            9.15    18.34     2.05  
d26            3.81     3.81     3.81  
ズームレンズ群データ
群  始面    焦点距離  
1    1      37.07  
2    8      -5.43  
3   15      27.98  
4   20      19.24  
5   25       ∞    
数値実施例４
単位 mm
面番号     ri        di        ndi       vdi      θgFi     有効径   焦点距離
1       57.89080   1.25000  2.001000   29.13    0.5997     40.146    -80.708
2       33.47136   6.51729  1.438750   94.93    0.5343     37.370     80.711
3      550.57118   0.15000  1.000000    0.00    0.0000     36.676      0.000
4       37.79486   4.43480  1.537750   74.70    0.5393     33.492     78.840
5      325.38943   0.10000  1.000000    0.00    0.0000     32.696      0.000
6       26.42854   3.65336  1.595220   67.74    0.5442     27.914     66.096
7       75.81076    (可変)  1.000000    0.00    0.0000     26.860      0.000
8       55.83740   0.45000  2.095000   29.59    0.5946     11.093     -5.901
9        5.80918   2.79591  1.000000    0.00    0.0000      8.648      0.000
10      -18.77440   0.40000  2.049760   27.07    0.6050      8.550    -11.750
11       37.29651   0.12000  1.000000    0.00    0.0000      8.681      0.000
12       14.15312   2.24522  2.102050   16.77    0.6721      8.984      7.577
13      -19.30823   0.34000  1.953750   32.32    0.5898      8.854    -15.418
14       64.17496    (可変)  1.000000    0.00    0.0000      8.674      0.000
15        0.00000   1.00000  1.000000    0.00    0.0000     12.333      0.000
*16      10.52235   4.21817  1.583126   59.38    0.5423     13.359     14.551
*17     -38.12444   0.10000  1.000000    0.00    0.0000     12.887      0.000
18       19.38666   0.50000  2.001000   29.13    0.5997     11.966    -24.681
19       10.76008    (可変)  1.000000    0.00    0.0000     11.246      0.000
*20      24.86622   1.12354  1.553320   71.68    0.5402     10.451    148.156
21       35.06663   0.10000  1.000000    0.00    0.0000     10.480      0.000
22       14.83225   1.00000  1.959060   17.47    0.6599     10.629    -49.414
23       10.95574   3.00110  1.487490   70.23    0.5300     10.283     15.074
24      -20.51879    (可変)  1.000000    0.00    0.0000     10.263      0.000
25        0.00000   1.43000  1.516330   64.14    0.5352     20.000      0.000
26        0.00000   3.81000  1.000000    0.00    0.0000     20.000      0.000
非球面データ
第16面
K = 3.85607e-001  A 4=-1.42598e-004  A 6=-6.57237e-007  A 8=-1.18862e-008  A10=-1.86282e-011  
第17面
K = 1.75265e+001  A 4= 9.65341e-005  A 6= 3.79021e-007  A 8=-1.38403e-008  A10= 3.39258e-010  
第20面
K =-1.61300e+000  A 4=-3.24761e-005  A 6=-4.83665e-007  A 8= 3.68230e-009  
各種データ
ズーム比     33.99 
広角     中間     望遠
焦点距離       4.24    40.50   144.09  
Fナンバー      1.70     2.90     4.90  
半画角        35.29     4.24     1.19  
像高           3.00     3.00     3.00  
レンズ全長    90.05    90.05    90.05  
BF             3.81     3.81     3.81  
d 7            0.60    21.00    26.10  
d14           27.30     6.90     1.80  
d19           13.99     4.58    21.36  
d24            9.42    18.83     2.05  
d26            3.81     3.81     3.81  
ズームレンズ群データ
群  始面    焦点距離  
1    1      37.28  
2    8      -5.41  
3   15      27.73  
4   20      19.76  
5   25       ∞    
数値実施例５
単位 mm
面番号     ri        di        ndi       vdi      θgFi     有効径   焦点距離
1       64.08879   1.25000  1.846660   23.78    0.6205     37.659   -113.379
2       38.23545   5.16882  1.496999   81.54    0.5374     35.660     81.400
3      633.48110   0.15000  1.000000    0.00    0.0000     35.046      0.000
4       42.09213   3.28596  1.537750   74.70    0.5393     32.309    102.707
5      170.36256   0.10000  1.000000    0.00    0.0000     31.647      0.000
6       29.24863   3.02517  1.595220   67.74    0.5442     28.140     79.281
7       73.53551    (可変)  1.000000    0.00    0.0000     27.365      0.000
8      113.03301   0.45000  2.095000   29.59    0.5946     11.032     -6.246
9        6.48579   2.61285  1.000000    0.00    0.0000      8.899      0.000
10      -20.26858   0.40000  2.001000   29.13    0.5997      8.806    -15.346
11       66.27493   0.12000  1.000000    0.00    0.0000      8.906      0.000
12       13.36750   2.74040  1.959060   17.47    0.6599      9.170      6.956
13      -12.29399   0.40000  2.001000   29.13    0.5997      8.960     -9.697
14       48.74688    (可変)  1.000000    0.00    0.0000      8.708      0.000
15        0.00000   1.00000  1.000000    0.00    0.0000     13.258      0.000
*16      11.46823   4.33476  1.583126   59.38    0.5423     14.302     14.670
*17     -29.43126   0.52205  1.000000    0.00    0.0000     13.963      0.000
18       21.06345   0.55000  2.000690   25.46    0.6133     12.536    -27.849
19       11.88590    (可変)  1.000000    0.00    0.0000     11.801      0.000
*20      12.60831   3.09834  1.553320   71.68    0.5402     10.337     12.385
21      -13.79592   0.50000  1.959060   17.47    0.6599     10.117    -61.205
22      -18.28259    (可変)  1.000000    0.00    0.0000     10.140      0.000
23       32.10649   0.40000  1.772499   49.60    0.5521      7.071    -10.449
24        6.43984   0.96666  1.000000    0.00    0.0000      6.626      0.000
25       36.21957   2.30164  1.595509   39.24    0.5804      6.668      8.156
26       -5.51407   0.50000  1.883000   40.80    0.5652      6.726    -15.016
27       -9.80208    (可変)  1.000000    0.00    0.0000      7.000      0.000
28        0.00000   1.43000  1.516330   64.14    0.5352     20.000      0.000
29        0.00000   3.81000  1.000000    0.00    0.0000     20.000      0.000
非球面データ
第16面
K =-9.89828e-001  A 4=-3.19949e-005  A 6= 1.81512e-007  
第17面
K = 0.00000e+000  A 4= 2.94380e-005  A 6= 2.59285e-007  A 8=-1.34039e-009  
第20面
K =-1.55486e+000  A 4=-2.68000e-005  A 6=-1.02568e-007  
各種データ
ズーム比     35.00 
広角     中間     望遠
焦点距離       4.18    39.13   146.14  
Fナンバー      1.70     3.00     5.00  
半画角        35.69     4.38     1.18  
像高           3.00     3.00     3.00  
レンズ全長    85.19    85.19    85.19  
BF             3.81     3.81     3.81  
d 7            0.60    23.17    28.81  
d14           30.01     7.44     1.80  
d19            9.67     3.93    12.46  
d22            4.79    10.54     2.00  
d27            1.00     1.00     1.00  
d29            3.81     3.81     3.81  
ズームレンズ群データ
群  始面    焦点距離  
1    1      40.15  
2    8      -5.41  
3   15      24.93  
4   20      15.46  
5   23     -35.01  
6   28       ∞    
数値実施例６
単位 mm
面番号     ri        di        ndi       vdi      θgFi     有効径   焦点距離
1       84.74963   1.25000  1.854780   24.80    0.6121     45.501   -122.197
2       46.66447   6.19961  1.496999   81.54    0.5374     43.090     95.063
3     2934.01720   0.15000  1.000000    0.00    0.0000     42.474      0.000
4       52.01840   3.85800  1.537750   74.70    0.5393     38.983    120.853
5      250.66748   0.10000  1.000000    0.00    0.0000     38.324      0.000
6       31.69913   3.83474  1.595220   67.74    0.5442     33.377     84.826
7       80.84254    (可変)  1.000000    0.00    0.0000     32.525      0.000
8       97.24833   0.45000  2.049760   27.07    0.6050     12.900     -7.091
9        6.95356   3.11085  1.000000    0.00    0.0000     10.113      0.000
10      -22.44414   0.40000  2.001000   29.13    0.5997      9.997    -14.014
11       38.56982   0.12000  1.000000    0.00    0.0000     10.115      0.000
12       15.43068   3.13407  1.959060   17.47    0.6599     10.443      7.664
13      -12.95816   0.40000  2.001000   29.13    0.5997     10.291    -12.823
14     9407.44625    (可変)  1.000000    0.00    0.0000     10.127      0.000
15        0.00000   1.00000  1.000000    0.00    0.0000     11.750      0.000
*16      11.62935   3.94669  1.583126   59.38    0.5423     12.412     14.381
*17     -26.68368   1.64362  1.000000    0.00    0.0000     12.027      0.000
18       31.42030   0.55000  2.000690   25.46    0.6133     10.381    -23.380
19       13.36274    (可変)  1.000000    0.00    0.0000      9.881      0.000
*20      11.85959   2.67968  1.553320   71.68    0.5402      8.844     12.012
21      -14.00629   0.50000  1.959060   17.47    0.6599      8.698    -67.674
22      -18.10915    (可変)  1.000000    0.00    0.0000      8.727      0.000
23       12.40301   0.40000  1.772499   49.60    0.5521      6.777    -16.392
24        6.19204   1.12329  1.000000    0.00    0.0000      6.384      0.000
25     -148.37666   1.99323  1.595509   39.24    0.5804      6.392      9.593
26       -5.56069   0.50000  1.883000   40.80    0.5652      6.435    -13.443
27      -10.84870    (可変)  1.000000    0.00    0.0000      6.679      0.000
28        0.00000   1.43000  1.516330   64.14    0.5352     20.000      0.000
29        0.00000   3.81000  1.000000    0.00    0.0000     20.000      0.000
非球面データ
第16面
K =-9.40028e-001  A 4=-2.51818e-005  A 6= 1.08198e-007  
第17面
K = 0.00000e+000  A 4= 5.44949e-005  A 6=-3.53978e-008  A 8= 7.65736e-010  
第20面
K =-2.34640e+000  A 4= 2.62587e-005  A 6=-5.56710e-007  
各種データ
ズーム比     29.72 
広角     中間     望遠
焦点距離       4.05    35.27   120.24  
Fナンバー      1.80     2.60     4.00  
半画角        36.56     4.86     1.43  
像高           3.00     3.00     3.00  
レンズ全長    89.99    89.99    89.99  
BF             3.81     3.81     3.81  
d 7            0.60    26.35    32.79  
d14           33.99     8.24     1.80  
d19            8.14     3.57     9.61  
d22            3.67     8.24     2.20  
d27            1.00     1.00     1.00  
d29            3.81     3.81     3.81  
ズームレンズ群データ
群  始面    焦点距離  
1    1      45.94  
2    8      -6.48  
3   15      26.02  
4   20      14.61  
5   23     -35.00  
6   28       ∞    
数値実施例７
面番号     ri        di        ndi       vdi      θgFi     有効径   焦点距離
1       60.08176   1.25000  2.001000   29.13    0.5997     38.235    -80.646
2       34.20293   6.16396  1.438750   94.93    0.5343     35.783     77.842
3    30397.07275   0.15000  1.000000    0.00    0.0000     35.129      0.000
4       35.08053   4.49795  1.537750   74.70    0.5393     31.841     70.561
5      427.27146   0.10000  1.000000    0.00    0.0000     31.019      0.000
6       26.19462   3.69533  1.595220   67.74    0.5442     27.744     71.573
7       64.06860    (可変)  1.000000    0.00    0.0000     26.906      0.000
8       67.25871   0.45000  2.095000   29.59    0.5946     11.047     -6.108
9        6.10720   2.70757  1.000000    0.00    0.0000      8.762      0.000
10      -18.97626   0.40000  2.001000   29.13    0.5997      8.664    -11.943
11       33.37739   0.12000  1.000000    0.00    0.0000      8.784      0.000
12       14.03945   2.52447  1.959060   17.47    0.6599      9.070      7.728
13      -14.71906   0.34000  1.953750   32.32    0.5898      8.959    -15.822
14     -469.55474    (可変)  1.000000    0.00    0.0000      8.849      0.000
15        0.00000   1.00000  1.000000    0.00    0.0000     12.471      0.000
*16       9.53734   3.99529  1.583126   59.38    0.5423     13.643     14.331
*17     -58.96469   1.03330  1.000000    0.00    0.0000     13.255      0.000
18       19.72898   0.50000  2.001000   29.13    0.5997     11.725    -18.636
19        9.50553    (可変)  1.000000    0.00    0.0000     10.869      0.000
*20      16.71297   1.95854  1.553320   71.68    0.5402     12.661     34.404
21      128.14021   0.10000  1.000000    0.00    0.0000     12.643      0.000
22       22.55982   1.00000  1.959060   17.47    0.6599     12.666    -55.386
23       15.54991   3.00110  1.487490   70.23    0.5300     12.296     19.784
24      -24.00049    (可変)  1.000000    0.00    0.0000     12.214      0.000
25        0.00000   1.43000  1.516330   64.14    0.5352     20.000      0.000
26        0.00000   3.81000  1.000000    0.00    0.0000     20.000      0.000
非球面データ
第16面
K = 1.62981e-001  A 4=-1.44897e-004  A 6=-8.16691e-007  A 8=-5.55657e-010  A10=-4.09671e-010  
第17面
K = 2.08445e+001  A 4= 4.10419e-005  A 6= 8.10593e-007  A 8=-2.52410e-008  A10= 1.34302e-010  
第20面
K =-8.34319e-001  A 4=-3.86594e-005  A 6= 3.39029e-010  A 8=-1.29681e-009  
各種データ
ズーム比     29.99 
広角     中間     望遠
焦点距離       4.50    25.92   134.84  
Fナンバー      1.60     2.40     4.20  
半画角          33.71     6.60     1.27  
像高           3.00     3.00     3.00  
レンズ全長    90.01    90.01    90.01  
BF             3.81     3.81     3.81  
d 7            0.60    17.31    24.47  
d14           25.67     8.96     1.80  
d19           13.68     6.71    21.46  
d24            9.83    16.81     2.05  
d26            3.81     3.81     3.81  
ズームレンズ群データ
群  始面    焦点距離  
1    1      36.00  
2    8      -5.72  
3   15      33.18  
4   20      17.05  
5   25       ∞    
各実施例と前述した各条件式との対応を表１に示す。
【０１０４】
【表１】
2017215410.tif 000003
【符号の説明】
【０１０５】
Ｌ１  第１レンズ群、Ｌ２  第２レンズ群、Ｌ３  第３レンズ群、Ｌ４  第４レンズ群、
Ｌ５  第５レンズ群、ＳＰ  絞り、ＧＢ  ガラスブロック、ＩＰ  像面
【図１】
2017215410.tif 000004
【図２（Ａ）】
2017215410.tif 000005
【図２（Ｂ）】
2017215410.tif 000006
【図２（Ｃ）】
2017215410.tif 000007
【図３】
2017215410.tif 000008
【図４（Ａ）】
2017215410.tif 000009
【図４（Ｂ）】
2017215410.tif 000010
【図４（Ｃ）】
2017215410.tif 000011
【図５】
2017215410.tif 000012
【図６（Ａ）】
2017215410.tif 000013
【図６（Ｂ）】
2017215410.tif 000014
【図６（Ｃ）】
2017215410.tif 000015
【図７】
2017215410.tif 000016
【図８（Ａ）】
2017215410.tif 000017
【図８（Ｂ）】
2017215410.tif 000018
【図８（Ｃ）】
2017215410.tif 000019
【図９】
2017215410.tif 000020
【図１０（Ａ）】
2017215410.tif 000021
【図１０（Ｂ）】
2017215410.tif 000022
【図１０（Ｃ）】
2017215410.tif 000023
【図１１】
2017215410.tif 000024
【図１２（Ａ）】
2017215410.tif 000025
【図１２（Ｂ）】
2017215410.tif 000026
【図１２（Ｃ）】
2017215410.tif 000027
【図１３】
2017215410.tif 000028
【図１４（Ａ）】
2017215410.tif 000029
【図１４（Ｂ）】
2017215410.tif 000030
【図１４（Ｃ）】
2017215410.tif 000031
【図１５】
2017215410.tif 000032
【図１６】
2017215410.tif 000033